(57)【要約】【課題】特殊３点リンク用のロータリ作業機に装着することで、標準３点用のロータリ作業機として転用可能な装着変換装置を提供する。【解決手段】トラクタ２より取外した特殊３点リンク用のロータリ作業機１に対して、第１ブラケット３１、第２ブラケット４１を主要部品とする装着変換装置５を装着することで、標準３点リンク用のロータリ作業機として使用することができる。さらに、装着変換装置５の下部にはゲージホィール５６が伸縮可能に支持されており、ロータリ作業機の作業面高さを調整可能とされている。【選択図】図２
2007151417.tif 000002
【特許請求の範囲】
【請求項１】
ロータリ作業機に着脱自在に取付けられ、該ロータリ作業機を、標準３点リンクと特殊３点リンクとに変換して装着し得る装着変換装置であって、
ロータリ作業機の特殊３点リンク装着時におけるロワーリンク連結用ピンが取付けられるプレートに、着脱自在に固着し、先端部に前記ロワーリンク連結用ピンを取付ける孔を有する１対の第１ブラケットと、
前記ロータリ作業機の特殊３点リンク装着時におけるトップリンク連結用ピンが取付けられるトップマストに、着脱自在に固着し得、先端部に前記トップリンク連結用ピンを取付ける支持孔を有する第２ブラケットと、
特殊３点リンク装着時の前記ロータリ作業機において、前記トップマストと前記プレートを連結すると共に、前記第１ブラケットと前記第２ブラケットとを連結し得る連結プレートと、を備える、
ことを特徴とする装着変換装置。
【請求項２】
前記第１ブラケットに一体に固定される支持部材と、
該支持部材に上下方向移動自在にかつ所定位置に固定自在に支持される１対の調節部材と、
前記調節部材の先端部に回転自在に支持されるゲージホィールと、を備えてなる、
請求項１記載の装着変換装置。
【発明の詳細な説明】
【技術分野】
【０００１】
本発明は、ロータリ作業機に係り、詳しくは特殊３点リンク用のロータリ作業機への装着を基本として、標準３点リンク用のロータリ作業機へ変換し得る装着変換装置に関する。
【背景技術】
【０００２】
圃場で使用されるロータリ作業機は、トラクタの後部に連結されて圃場の土を耕耘するために用いられる（特許文献１）。このロータリ作業機をトラクタに装着する方式として、日本工業規格（ＪＩＳ）で定めた標準３点リンクと、日本のメーカ間で一般化されている特殊３点リンクがあり、農家は圃場の状況や作業目的に合わせて何れかのリンク方式を選択して耕耘作業を行っている。
【０００３】
【特許文献１】特開２００１−２６９０１１号公報
【発明の開示】
【発明が解決しようとする課題】
【０００４】
上記特殊３点リンクは、水田耕耘の多い日本の実情に合わせ、トラクタにロータリ作業機を近づけることにより、トラクタの旋回性能を向上させて、枕地の少ない水田を得ることができる利点がある。しかし、特殊３点リンクによるロータリ作業機では、トラクタと作業機の間隔が狭いことから作業姿勢を調節しずらく、水田の浅耕しから深耕し等に対応するには、作業に応じたロータリ作業機へ交換する必要があった。一方、標準３点リンクは、トラクタの旋回性能は劣るものの、統一規格のリンク機構により他の汎用作業機と容易に連結交換することができ、多様な農作業機を１つの標準３点リンクで賄うことが可能である。これら特殊３点リンクと標準３点リンクが並存する日本の農業環境下では、特殊３点リンク用ロータリ作業機に対しても、標準３点リンク用ロータリ作業機として利用できる手段が求められるところである。
【０００５】
そこで、本発明は、特殊３点リンクへのロータリ作業機の装着を基本として、僅かな付属部品を付加するだけで容易に標準３点リンクのロータリ作業機へ変換することが可能な装着交換装置を提供することを目的とするものである。
【課題を解決するための手段】
【０００６】
前記目的を達成するため、請求項１に係る本発明は、ロータリ作業機（１）に着脱自在に取付けられ、該ロータリ作業機を、標準３点リンク（４）と特殊３点リンク（３）とに変換して装着し得る装着変換装置（５）であって、
ロータリ作業機（１）の特殊３点リンク装着時におけるロワーリンク連結用ピン（１０ａ）が取付けられるプレート（１０）に、着脱自在に固着し、先端部に前記ロワーリンク連結用ピンを取付ける孔（３３ａ）を有する１対の第１ブラケット（３１）と、
前記ロータリ作業機（１）の特殊３点リンク装着時におけるトップリンク連結用ピンが取付けられるトップマスト（１１）に、着脱自在に固着し得、先端部に前記トップリンク連結用ピンを取付ける支持孔（４３ａ）を有する第２ブラケット（４１）と、
特殊３点リンク装着時の前記ロータリ作業機（１）において、前記トップマスト（１１）と前記プレート（１０）を連結すると共に、前記第１ブラケット（３１）と前記第２ブラケット（４１）とを連結し得る連結プレート（４６、４６）と、を備える、
ことを特徴とする装着変換装置（５）にある。
【０００７】
請求項２に係る本発明は、前記第１ブラケット（３１）に一体に固定される支持部材（５０）と、
該支持部材に上下方向移動自在にかつ所定位置に固定自在に支持される１対の調節部材（５５）と、
前記調節部材の先端部に回転自在に支持されるゲージホィール（５６）と、を備えてなる、
請求項１記載の装着変換装置（５）にある。
【０００８】
尚、前記した括弧内の符号等は図面を参照するためのものであって、本発明を何ら限定するものではない。
【発明の効果】
【０００９】
請求項１に係る本発明によると、特殊３点リンク装着用のロータリ作業機に、第１ブラケットと第２ブラケットとを取付け、かつ連結プレートにより第１ブラケットと第２ブラケットを連結することにより、容易に標準３点リンク装着用に上記ロータリ作業機を変換することができ、ロータリ作業機を、特殊３点リンク装着仕様と標準リンク装着仕様に容易に変換することができる。
【００１０】
更に、第１ブラケットと第２ブラケットとを付属部品として保持するだけで、ロワーリンク連結用ピン及びトップリンク連結用ピンは共用でき、かつ連結プレートも共用でき、特殊３点リンク装着仕様のものは、標準３点リンク装着仕様に際してもすべてそのまま使用して、付属品は、第１及び第２ブラケット等の僅かな部品で足りる。
【００１１】
請求項２に係る本発明によると、第１ブラケットにゲージホィールを付設してあるので、標準３点リンク装着仕様として用いる場合、ゲージホィールを容易に付設することができる。
【発明を実施するための最良の形態】
【００１２】
以下、図面に基づき本発明の好ましい実施の形態を説明する。図１乃至図６は、本発明の実施の形態を示すもので、図１は特殊３点リンク装着用のロータリ作業機をトラクタに連結した状態にある側面図であり、図２は特殊３点リンク装着用のロータリ作業機に装着変換装置を装着して、標準３点リンクを介してトラクタに連結した状態にある側面図であり、図３は特殊３点リンク装着用のロータリ作業機単体の側面図であり、図４は特殊３点リンク装着用のロータリ作業機単体の平面図であり、図５は特殊３点リンク装着用のロータリ作業機に装着変換装置を取付け、標準３点リンク装着用のロータリ作業機へ変換した状態にある側面図であり、図６は特殊３点リンク装着用のロータリ作業機に装着変換装置を取付け、標準３点リンク装着用のロータリ作業機へ変換した状態にある平面図である。
【００１３】
本ロータリ作業機１は、図１及び図２に示すように、トラクタ２の後部に特殊３点リンク３、または標準３点リンク４を介して装着されて、圃場の耕耘作業に供される。
【００１４】
特殊３点リンク用のロータリ作業機１は、図１、図３及び図４に示すように、トラクタ２の進行方向に対して地面左右方向に伸びる筒形状のメインフレーム１２を有しており（図４参照）、メインフレーム１２の中央部より互いに離間した位置には、一対のロワーリンク連結プレート１０、１０が進行方向に向かい設けられている。また、メインフレーム１２の中央部からはトップマスト１１が上方へ向かい立設されている。これらロワーリンク連結プレート１０、１０の前方部とトップマスト１１の前方部は、連結プレート４６、４６により繋がれており、後述するロワーリンク６、６´、及びトップリンク７、７´を介してトラクタ２と連結される。
【００１５】
図３に詳示するように、ロータリ作業機１のメインフレーム１２の中央部からは前方へ向かい入力軸１５が突設されており、トラクタのＰＴＯ軸より伝達された動力と繋がれており、駆動力はメインフレーム１２内の図示しない駆動軸によりメインフレーム１２の両端部まで伝達される。メインフレーム１２の両端部にはチェーンケース１３、及びブラケット１４の上端部が固定されており、駆動軸よりの駆動力はチェーンケース１３内の図示しない動力伝達装置を介して、チェーンケース１３、及びブラケット１４の下端部で回動自在に配設された耕耘ロータリ１６を回動させて耕耘作業が進行する。
【００１６】
メインフレーム１２の下方部にあたる耕耘ロータリ１６前上面では、メインフレーム１２へ取付けられたフロントカバー２３が垂下しており、フロントカバー２３により耕耘ロータリ１６の前面が覆われている。
【００１７】
フロントカバー２３の後縁では、ロワーリンク連結プレート１０、１０の取付けと同幅の位置から水平後方へ向かい、一対のアーム１８、１８が延出しており、このアーム１８、１８の終端にはメインフレーム１２と並行して延びる略矩形板状のリヤカバー１７が、圃場面へ向かい摺動可能に取り付けられている。
【００１８】
耕耘ロータリ１６とリヤカバー１７の間には、メインフレーム１２と並行に延びるサブフレーム２２を有して、サブフレーム２２にはサブソイラアーム２１を介してサブソイラ２０が固定されている。該サブソイラ２０はメインフレーム１２の中央部に設けられたサブソイラ操作レバー２３とリンク機構を介して上下移動可能に繋がれている。
【００１９】
以上のように構成される特殊３点リンク装着用のロータリ作業機１は、図１に示す特殊３点リンク３を介してトラクタ２の後方へ上下方向揺動可能に繋がれる。特殊３点リンク３は、トラクタ２の機台の下部後端に結合ピンを介して回動可能に連結された一対のロワーリンク６´、６´と、ロワーリンク６´、６´の中段から結合ピンにより揺動可能に支持されてトラクタ２の後部上方へ繋がるリフトロッド８´、８´と、トラクタ２の後端中段に取付けられたトラクタ取付けプレート９´に結合ピンを介して回動可能に取付けられたトップリンク７´により構成される。これらロワーリンク６´、６´の後端は、ロータリ作業機１のロワーリンク連結プレート１０、１０の前端で、左右外方向へ向けて挿入されたロワーリンク連結プレートピン１０ａ、１０ａと嵌合されており、トップリンク７´の後端はトップマスト１１の前端に穿孔されたトップマスト支持孔１１ａへ連結ピンを介して回動可能に連結されている。
【００２０】
以上まで特殊３点リンク装着用のロータリ作業機１の構成について説明をしてきたが、次に標準３点リンク装着用のロータリ作業機へ変換する機構について説明する。なお、以下では、特殊３点リンク装着用と標準３点リンク装着用のロータリ作業機１は同一のものであることから、重複する構成の説明は省略する。
【００２１】
図２、図５及び図６に示すとおり、上述したロータリ作業機１の前方部に、本発明の特徴である装着変換装置５を取付けることで、特殊３点リンク装着用として用いられたロータリ作業機を標準３点リンク装着用のロータリ作業機として用いることができる。さらに、標準３点リンク装着用のロータリ作業機１には、圃場面とロータリ作業機の耕耘ロータリ１６との距離を調整するゲージホィール５６を取付けられることが特徴となっている。
【００２２】
装着変換装置５は、一対の第１ブラケット３１、３１と第２ブラケット４１を基本部品とし、これらに取付けられる連結プレート４６、４６、及びゲージホィール部品により構成される。
【００２３】
第１ブラケット３１、３１は、ロワーリンク連結プレート１０、１０の前方でロワーリンク連結プレートと面一に取付けられる第１延長プレート３３、３３と、ロワーリンク連結プレート１０、１０と第１延長プレート３３、３３の外側面から両プレートに重なる第１取付プレート３２，３２とからなる。第１延長プレート３３、３３の後半部と、第１取付プレート３２，３２の前半部は複数のボルトナット３５により締結されて一体とされており、また、第１取付プレート３２，３２の後半部には複数の取付け孔が設けられており、取付け孔の一つはロワーリンク連結プレート１０よりロワーリンク連結プレートピン１０ａを取外した孔と重なり合い、ボルトナット３４により取外し可能に締結することができる。第１延長プレート３３、３３の前端には穿孔３３ａが形成されており、ロワーリンク連結プレート１０より取外したロワーリンク連結プレートピン１０ａを転用して、穿孔３３ａへ再挿入可能となっている。本第１ブラケット３１、３１の装着により、ロワーリンク連結プレート１０の全長は第１延長プレート３３、３３の有する長さまで延長される。
【００２４】
次に、第２ブラケット４１は、トップマスト１１の前方に位置してトップマスト１１を外側から取外し可能に挟持する一対の第２取付けプレート４２，４２と、第２取付けプレート４２，４２の先端にトップマスト１１の外面と面一に固着される第２延長プレート４３、４３とからなる。第２取付けプレート４２，４２の後端部には、複数の取付け孔が設けられており、取付け孔の一つはトップマスト１１に穿孔された支持孔１１ａと重なり合い、ボルトナット４４を介してトップマスト１１へ取外し可能に締結することができる。第２延長プレート４３、４３の前端には、連結ピンを取付けるための支持孔４３ａ、４３ａが穿孔されており、この支持孔４３ａどうしは筒状部材により繋がれている。これにより、トップマスト１１は第２ブラケット４１が有する長さまで前方向に延長されている。
【００２５】
これら第１ブラケット３１、３１と第２ブラケット４１は、それぞれの前端に設けた穿孔３３ａ、４３ａの近傍を連結プレート４６、４６により繋がれることにより一体となっている、この連結プレート４６、４６は、特殊３点リンク用のロータリ作業機１においてトップマスト１１とロワーリンク連結プレート１０、１０とを繋いでいたものと同一のものであり、該ロータリ作業機１から取外して第１ブラケット３１、３１と第２ブラケット４１の連結プレート４６として転用することができる。
【００２６】
つづいて、上記装着変換装置５の下部に取付けることができるゲージホィール部品について説明する。ゲージホィール部品はロータリ作業機１とトラクタ２の間に取付けられる部材であり、支持部材５０と調節部５５とゲージホィール５６とから構成される。
【００２７】
支持部材５０は、上述した第１ブラケット３１、３１の第１延長プレート３３、３３と第１取付プレート３２，３２の重り合う位置の下部に固着されており、メインフレーム１２と並行に延びる管状の支持フレーム５１と、該支持フレーム５１の固着位置よりも外側に固定された支持プレート５２、５２とにより構成される。支持プレート５２、５２は、Ｕボルト、或いは板部材等を介して支持フレーム５１と締結されるが、必要に応じてボルト締結を調整することで、支持フレーム５１上を左右方向へスライドして支持プレート間距離を変更することができる。また、支持プレート５２、５２の前端部には略垂直方向へ向かう挿通筒部５３、５３が固着されており、次述する挿通杆５４，５４と共動して調節部材５５，５５となる。挿通筒部５３、５３へは棒状の挿通杆５４、５４が挿入されており、挿通杆５４、５４に設けられた長手方向に並ぶ複数の透孔と、挿通筒部５３、５３の側面に穿孔された孔とを合わせてピンを挿入することにより、調節部材５５の高さを調節することができる。挿通杆５４、５４の最下部にはメインフレーム１２と並行してホィール軸５７、５７が固定されており、該ホィール軸５７、５７にはゲージホィール５６、５６が回動可能に取付けられている。
【００２８】
次に、以上までに説明した装着変換装置５を、ロータリ作業機１に装着して標準３点リンク用のとした場合のリンク機構について説明する。図２は、トラクタ２の後部に標準３点リンク４を取付け、装着変換装置５と連結した状態を示したものである。
【００２９】
標準３点リンク４は、トラクタ２の機台の下部後端より結合ピンを介して回動可能に連結された一対のロワーリンク６、６と、ロワーリンク６、６の中段から結合ピンにより揺動可能に支持されてトラクタ２の後部上方へ繋がるリフトロッド８、８と、トラクタ２の後端中段に取付けられたトラクタ取付けプレート９に結合ピンを介して回動可能に取付けられたトップリンク７とにより構成される。ロワーリンク６、６の後端は、装着変換装置５の第１ブラケット３１、３１の前端から左右外方向へ向けて挿入されたロワーリンク連結プレートピン１０ａ、１０ａへ嵌合されており、トップリンク７の後端は第２ブラケット４１の前端に穿孔された支持孔４３ａへ連結ピンを介して回動可能に連結されている。これら２点の連結ピン結合により、ロータリ作業機１は各ロワーリンク６、６、トップリンク７の連結点を中心とする回動が可能となり、トラクタ２の後方で昇降自在に連結されている。また、標準３点リンク４の特徴として、トップリンク７は、その全長を伸縮することができるターンバックルであり、トップリンク７の長さを調節することでロータリ作業機１の上下位置を変更することができる。
【００３０】
ついで、以上構造からなる装着変換装置５の装着について説明した後、標準３点リンク用のロータリ作業機１の作用について説明する。
【００３１】
初めに、図１にある特殊３点リンク３用のロータリ作業機１から、トップマスト１１に挿入された連結ピンをトップマスト支持孔１１ａから抜き取り、トップリンク７´とトップマスト１１との連結を解除すると共に、ロワーリンク連結プレート１０、１０の挿入されたロワーリンク連結プレートピン１０ａ、１０ａを抜き取り、ロワーリンク６´、６´とロワーリンク連結プレート１０、１０との連結を解除する。これにより、ロータリ作業機１は単体となり装着変換装置５の装着が可能な状態となる。次に、トップマスト１１とロワーリンク連結プレート１０、１０とを繋ぐ連結プレート４６、４６を、ボルト締結を解除して取外すが、これら、ロワーリンク連結プレートピン１０ａ、１０ａと連結プレート４６、４６は、後に標準３点リンク用として転用される部品となる。また、この時、トラクタ２へ取付けられた特殊３点リンク３は標準３点リンク４へ交換される。
【００３２】
次に、装着変換装置５の装着では、第１ブラケット３１は、第１延長プレート３３と第１取付プレート３２を、それぞれに設けた取付け孔を利用してボルトナット３５により締結した後、第１取付プレート３２の後端をロワーリンク連結プレート１０へ重ね合わせてボルトナット３４により締結する。この場合にロワーリンク連結プレートピン１０ａが挿入されていた孔は取付け孔として使用される。
【００３３】
同様に、トップマスト１１の支持孔１１ａを利用して第２ブラケット４１をボルトナット４４により締結した後、第１ブラケット３１の先端部と第２ブラケット４１の先端部を、先に取外した連結プレート４６により連結することにより装着変換装置５の装着が完了する。
【００３４】
次に、ゲージホィール５６が取付けられた挿通杆５４、５４を、挿通筒部５３、５３の下方から挿入し、耕耘ロータリ１６の耕耘深さに応じた挿通杆５４の長さとしてピンにより固定する。
【００３５】
以上により特殊３点リンク用のロータリ作業機１は標準３点リンク用のロータリ作業機として変換され、トラクタ２が有する標準３点リンク４への連結が可能となる、標準３点リンク４と装着変換装置５とを連結するには、上述した特殊３点リンク３からの連結を解除した手順とは逆に、標準３点リンクのロワーリンク６，６の後端を装着変換装置５の第１ブラケット３１の先端にある穿孔３３ａと重ね合わせ、ロワーリンク連結プレートピン１０ａを挿入して連結すると共に、トップリンク７の後端を第２ブラケット４１の先端にある支持孔４３ａと重ね合わせ、連結ピンを挿入して連結する。
【００３６】
標準３点リンク用のロータリ作業機１は、トラクタ２からエンジン動力が、入力軸１５、駆動軸、動力伝達装置を介して耕耘ロータリ１６を回動させて、圃場内を進行して耕耘作業が進行する。耕耘作業に際しては、挿通杆５４設けられた透孔と、挿通筒部５３、５３に穿孔された孔位置を選択することによりゲージホィール５６の高さを調整できるが、さらに、標準３点リンクのトップリンク７の伸縮長を変更することによっても高さを調整することができる。圃場に在る標準３点リンク用のロータリ作業機は、ロータリ作業機の中央に在る整地体操作レバー１９を回動操作してリヤカバー１７の前縁高さを調整することで耕耘深さを調節した後、トラクタ２に牽引されて圃場を耕耘する。
【００３７】
一定の耕耘作業が完了して次の圃場へ向かう場合では、ロータリ作業機１の後部を耕作面から浮かせてアゼを乗越える必要から、油圧シリンダ等の力によりロータリ作業機１の後部は持上げられる。この場合の第１ブラケット３１は、標準３点リンク４のロワーリンク６を半径として回動する一方、第２ブラケット４１では、ロワーリンク６よりも短い長さを有するトップリンク７により回転径の小さな回動をするので、２つの異なる回転径の運動により、ロータリ作業機は上昇しながらトップマスト１１が前方へ移動する前傾姿勢を形成することができ、後部を大きく持上げることができる。
【００３８】
以上のように、本発明に係る装着変換装置５は、特殊３点リンク用のロータリ作業機に装着することで容易に標準３点用のロータリ作業機に変換することができるうえ、特殊３点リンク用のロータリ作業機に用いられていたロワーリンク連結用ピン１０ａ、トップリンク連結用ピン、及び連結プレート４６を共用できるので、第１ブラケット３１、及び第２ブラケット４１の僅かな部品を追加することで足りる。また、装着変換装置５の下部には、ロータリ作業機の高さを調整するゲージホィール５６を容易に付設することができるので、耕耘深さを自在に変更することが可能となる。
【００３９】
最後に、上記に示した本発明による実施例は特殊３点リンク用のロータリ作業機に使用することができる装着変換装置の最良の形態を一実施例として記載したものであり、本発明の思想は広く圃場にて使用される作業機へ転用可能であることを付記する。
【図面の簡単な説明】
【００４０】
【図１】特殊３点リンク装着用のロータリ作業機をトラクタに連結した状態にある側面図である。
【図２】特殊３点リンク装着用のロータリ作業機に装着変換装置を装着して、標準３点リンクを介してトラクタに連結した状態にある側面図である。
【図３】特殊３点リンク装着用のロータリ作業機単体の側面図である。
【図４】特殊３点リンク装着用のロータリ作業機単体の平面図である。
【図５】特殊３点リンク装着用のロータリ作業機に装着変換装置を取付け、標準３点リンク装着用のロータリ作業機へ変換した状態にある側面図である。
【図６】特殊３点リンク装着用のロータリ作業機に装着変換装置を取付け、標準３点リンク装着用のロータリ作業機へ変換した状態にある平面図である。
【符号の説明】
【００４１】
１      ロータリ作業機
２      トラクタ
３      特殊３点リンク
４      標準３点リンク
５      装着変換装置
１０、１０    ロワーリンク連結プレート
１０ａ  ロワーリンク連結プレートピン
１１    トップマスト
１１ａ  支持孔
３１    第１ブラケット
３２    第１取付けプレート
３３    第１延長プレート
３３ａ  穿孔
４１    第２ブラケット
４２    第２取付けプレート
４３    第２延長プレート
４３ａ  支持孔
４６    連結プレート
５６    ゲージホィール
【図１】
2007151417.tif 000003
【図２】
2007151417.tif 000004
【図３】
2007151417.tif 000005
【図４】
2007151417.tif 000006
【図５】
2007151417.tif 000007
【図６】
2007151417.tif 000008